(57)【要約】【課題】不使用時にはコンパクトにまとめられつつも、使用時に組み立て作業を必要とせず、不必要な部材が生じない構成のファイルスタンドセットを提供すること。【解決手段】ファイルスタンド１の側面パネル１２の内面間距離は、ファイルスタンド２の側面パネル２２の外面間距離と等しくなっており、ファイルスタンド１にファイルスタンド２を嵌入可能な構成となっているファイルスタンドセット。【選択図】　　　図３
0003097473.tif 000002
【実用新案登録請求の範囲】
【請求項１】
底面パネルと、底面パネルの左右両辺に直角に立設された左右の側面パネルと、底面パネルの後辺および左右の側面パネルの後辺に囲まれた面に配された背面パネルから形成され、前方および上方が開放されたファイルスタンドを複数個備えるファイルスタンドセットであって、
一のファイルスタンドの側面パネルの内面間距離が他のファイルスタンドの側面パネルの外面間距離に等しく形成されてなることを特徴とするファイルスタンドセット。
【考案の詳細な説明】
【０００１】
【考案の属する技術分野】
本考案は、書類や雑誌などを立てた状態で整理するファイルスタンドに関する。
【０００２】
【従来の技術】
従来から、書類や雑誌などを整理するのに種々のファイルスタンドが用いられている。中でも、組み立て式のファイルスタンドにおいては、書類等の量に応じて大きさを調節することが可能であり、さらに、不使用時にはコンパクトにまとめられるよう分解可能な構造となっている。例えば、特許文献１が挙げられ、ネジを用い、分解、組み立て可能な構造としたものである。
【０００３】
【特許文献１】
実開昭６１−８８５４９号公報
【０００４】
【考案が解決しようとする課題】
しかしながら、このようなファイルスタンドを使用する際には、組み立て作業が必要となる。また、ファイルスタンドを所望の大きさに調整する際、不必要な部材が生じることもあり、それらを失くしてしまうおそれもある。
【０００５】
本考案は、かかる事情に鑑みてなされたものであり、不使用時にはコンパクトにまとめられつつも使用時には組み立て作業を必要とせず、不必要な部材が生じないような構成のファイルスタンドの提供を課題とする。
【０００６】
【課題を解決するための手段】
上記の課題を解決するため、本考案は、底面パネルと、底面パネルの左右両辺に直角に立設された左右の側面パネルと、底面パネルの後辺および左右の側面パネルの後辺に囲まれた面に配された背面パネルから形成され、前方および上方が開放されたファイルスタンドを複数個備えるファイルスタンドセットであって、一のファイルスタンドの側面パネルの内面間距離が他のファイルスタンドの側面パネルの外面間距離に等しく形成されてなることを特徴とするものである。
【０００７】
なお、上記で言う「等しく形成され」とは、一のファイルスタンドに他のファイルスタンドを嵌入することができるよう、嵌入するファイルスタンドの側面パネル間の外面間距離と、嵌入されるファイルスタンドの側面パネルの内面間距離をほぼ等しく設定したことを言う。
【０００８】
【考案の実施の形態】
本考案のファイルスタンドセットは、前方および上方が開放されたファイルスタンドを複数個備えるものである。
【０００９】
以下、本考案の実施の形態を添付図面に沿って説明する。
【００１０】
図１から図４は本考案の一実施例にかかるものであり、図１および図２はファイルスタンド１および２を並べた状態を示し、図３および図４はファイルスタンド１にファイルスタンド２を嵌入した様子を示す。
【００１１】
図１に示すように、ファイルスタンド１および２は、底面パネル１１、２１、左右の側面パネル１２、２２および背面パネル１３、２３から形成され、底面パネル１１、２１および背面パネル１３、２３にはそれぞれ穴１４および２４が設けられている。ここで、ファイルスタンドの設置場所やファイルスタンドに整理する書類や雑誌の大きさに応じて、図２に示すように背面パネル１３および２３を底面パネルとして用いてもよい。
【００１２】
次に、ファイルスタンドを１つだけ使用したいときは、１つのファイルスタンドのみを使用してもよいが、図３に示すように、ファイルスタンド１にファイルスタンド２を嵌入させた状態で使用すると、不必要な部材が生じることがなく好適である。ここで、ファイルスタンド１をファイルスタンド２に嵌入することができるよう、ファイルスタンド１の側面パネル１２の内面間距離がファイルスタンド２の側面パネル２２の外面間距離とほぼ等しくなるように形成されている。好ましくは、ファイルスタンド２の出し入れがしやすく、かつファイルスタンド２がファイルスタンド１に適合することができる程度に、側面パネル１２の内面間距離が側面パネル２２の外面間距離よりも若干広くなっているのがよい。
【００１３】
なお、本実施例ではファイルスタンドを２個用いているが、３個以上用いる場合は、それぞれのファイルスタンドの側面パネル間の距離を、側面パネルの厚みを考慮して所定の間隔で変化させておくことが必要である。
【００１４】
また、図４に示すように、ファイルスタンド２の開口部をファイルスタンド１に嵌入させて使用してもよい。この場合、上方のみが開放されているので、出し入れを頻繁に行わない書類や雑誌などの整理に好適である。
【００１５】
ファイルスタンドを使用しないときは、図３のような状態にしておくことで、コンパクトにまとめることができる。使用するときにはファイルスタンド１からファイルスタンド２を取り出すだけで、組み立て作業を必要とせず好適である。
【００１６】
側面パネル１２および２２の形状は、ファイルスタンド内の書類や雑誌などの保持性と、ファイルスタンド１からファイルスタンド２の出し入れのし易さの観点から、図示例に示すように四角形の上方手前の角部を切り欠いた形状にするのが好ましい。
【００１７】
ファイルスタンド１、２の底面パネル１１、２１および背面パネル１３、２３には穴１４および２４が設けられているが、これらの穴は取っ手の役割を果たし、書類や雑誌などを入れた状態でファイルスタンドを移動させるときには指をひっかけることができ、特に好適である。穴を設ける箇所は特に限定されないが、取っ手としての操作性の観点から、図１および図２に示すように背面下部に設けるのが好ましい。
【００１８】
ファイルスタンドの材質は、上記のような構成にすることができれば特に限定されるものではないが、ファイルスタンドの形状安定性の観点から、合成樹脂を用いるのが好ましい。
【００１９】
【考案の効果】
以上説明したように、本考案のファイルスタンドセットは、上記のとおりであり、不使用時にはコンパクトにまとめられつつも使用時には組み立て作業を必要あとせず、不必要な部材が生じることはない。
【図面の簡単な説明】
【図１】本考案の一実施例にかかるファイルスタンドセットを分解したときの外観斜視図を示す。
【図２】本考案の一実施例にかかるファイルスタンドセットを分解したときの外観斜視図を示す。
【図３】本考案の一実施例にかかるファイルスタンドセットをまとめたときの外観斜視図を示す。
【図４】本考案の一実施例にかかるファイルスタンドセットをまとめたときの外観斜視図を示す。
【符号の説明】
１、２　ファイルスタンド
１１、２１　底面パネル
１２、２２　側面パネル
１３、２３　背面パネル
１４、２４　穴
【図１】
0003097473.tif 000003
【図２】
0003097473.tif 000004
【図３】
0003097473.tif 000005
【図４】
0003097473.tif 000006